(57)【特許請求の範囲】
【請求項１】
撮影操作に応じて行われるストロボ発光を伴う連続撮影の回数が決定されていない連続撮影モードと、撮影操作に応じて行われるストロボ発光を伴う連続撮影の回数が決定されている連続撮影モードと、が設定できる連続撮影手段を有するカメラにおいて、
前記ストロボの充電電圧を検出する電圧検出手段と、
前記連続撮影における１回の撮影に必要とするストロボの発光量を演算する発光量演算手段と、
前記発光量演算手段で求めた発光量及び前記電圧検出手段で検出した充電電圧に基づいてストロボを連続発光できる撮影回数を演算する回数演算手段と、
少なくとも前記回数演算手段により演算された撮影回数を表示する表示手段とを有し、そして、
前記連続撮影手段が、前記撮影操作に応じて行われるストロボ発光を伴う連続撮影の回数が決定されていない連続撮影モードが設定されているとき、前記連続撮影を行う前に前記表示手段に撮影回数を表示して前記撮影操作に応じて前記連続撮影が行える許可状態になると共に、前記撮影操作に応じて行われるストロボ発光を伴う連続撮影の回数が決定されている連続撮影モードが設定されているとき、前記回数演算手段で演算した撮影回数と前記決定されている連続撮影の回数とを比較して前記決定されている連続撮影の回数が実行できなければ前記撮影操作に応じて前記連続撮影ができない禁止状態となるものである
ことを特徴とするカメラ。
【請求項２】
前記連続撮影手段が、撮影操作に応じて行われるストロボ発光を伴う連続撮影の回数が決定されている連続撮影モードに設定されたとき、露出量を変更しながら前記決定されている回数分の連続撮影を行うものである
ことを特徴とする請求項１に記載のカメラ。
【請求項３】
前記連続撮影手段が、前記撮影操作に応じて行われるストロボ発光を伴う連続撮影の回数が決定されていない連続撮影モードが設定されているときは、前記撮影操作が行われてから撮影終了操作が行われるまでの間、連続撮影を継続するカメラであって、
前記連続撮影中の撮影回数をカウントするカウント手段を有し、
前記連続撮影手段が、前記カウント手段でカウントした前記撮影回数が前記回数演算手段で演算された撮影回数を超えたとき前記連続撮影が禁止状態となるものである
ことを特徴とする請求項１又は２に記載のカメラ。
【請求項４】
前記発光量演算手段が、被写体の測光値に基づき絞り値を演算する絞り値演算手段を有し、前記絞り値と前記被写体の測距値に基づき前記決定されている回数の連続撮影に必要とするストロボの総発光量を演算するものであり、そして、
前記絞り値演算手段が、前記撮影操作に応じて行われるストロボ発光を伴う連続撮影の回数が決定されている連続撮影モードが設定されているとき、前記総発光量及び前記ストロボの充電電圧に基づいて前記決定された回数の連続撮影が不可能であると判断すると前記被写体の測光値及び前記ストロボの充電電圧に基づき前記決定された回数の連続撮影に必要とするストロボの発光量が前記ストロボの充電電圧から求めたストロボのフル発光量を超えないように前記絞り値を演算し直すと共に、前記撮影操作に応じて行われるストロボ発光を伴う連続撮影の回数が決定されていない連続撮影モードが設定されているとき、前記絞り値の演算をし直さないものである
ことを特徴とする請求項１〜３何れか１項に記載のカメラ。
【請求項５】
レリーズスイッチの半押し動作により前記表示手段に表示する内容を更新することを特徴とする請求項１〜４何れか１項に記載のカメラ。
【発明の詳細な説明】
【０００１】
【発明の属する技術分野】
この発明は、カメラに係わり、特に、連続撮影を行うカメラに関する。
【０００２】
【従来の技術】
一般に、連続撮影とは、１回のレリーズ操作（＝撮影操作）に対し複数回の撮影を連続して行う撮影手法をいう。この連続撮影には、レリーズ操作に応じて連続撮影を開始し、レリーズ操作が解除されるまで連続撮影が継続されるものと、レリーズ撮影に応じて予め定められた設定回数、連続撮影が行われるものとがある。また、露出量を変更しながら設定回数分の連続撮影を行うオートブラケット連続撮影というものも提案されている。
【０００３】
【発明が解決しようとする課題】
ところで、カメラのストロボは、一般的に、コンデンサに蓄積された電荷を放出して発光を行っている。このため、ストロボを発光させての連続撮影の回数には限りがあり、連続撮影中に、途中からストロボを発光させることができなくなるという恐れがあった。
【０００４】
そこで、従来では、連続撮影時にストロボの発光を禁止するものが提案されている。しかし、この場合、撮影者はストロボを発光させての連続撮影ができない。また、ストロボを発光させての連続撮影から、コンデンサに蓄電された電荷がなくなり次第、自動的にストロボの発光なしの連続撮影に切り替わるものも提案されているが、発光なしで撮影した写真は、露出が低く、撮影意図と違った写真になり、フィルムが無駄になってしまうという不具合があった。
【０００５】
そこで、本発明は、上記のような問題点に着目し、ストロボを発光させての連続撮影に生じる不具合を防止したカメラを提供することを課題とする。
【０００６】
【課題を解決するための手段】
上記課題を解決するためになされた請求項１記載の発明は、撮影操作に応じて行われるストロボ発光を伴う連続撮影の回数が決定されていない連続撮影モードと、撮影操作に応じて行われるストロボ発光を伴う連続撮影の回数が決定されている連続撮影モードと、が設定できる連続撮影手段を有するカメラにおいて、前記ストロボの充電電圧を検出する電圧検出手段と、前記連続撮影における１回の撮影に必要とするストロボの発光量を演算する発光量演算手段と、前記発光量演算手段で求めた発光量及び前記電圧検出手段で検出した充電電圧に基づいてストロボを連続発光できる撮影回数を演算する回数演算手段と、少なくとも前記回数演算手段により演算された撮影回数を表示する表示手段とを有し、そして、前記連続撮影手段が、前記撮影操作に応じて行われるストロボ発光を伴う連続撮影の回数が決定されていない連続撮影モードが設定されているとき、前記連続撮影を行う前に前記表示手段に撮影回数を表示して前記撮影操作に応じて前記連続撮影が行える許可状態になると共に、前記撮影操作に応じて行われるストロボ発光を伴う連続撮影の回数が決定されている連続撮影モードが設定されているとき、前記回数演算手段で演算した撮影回数と前記決定されている連続撮影の回数とを比較して前記決定されている連続撮影の回数が実行できなければ前記撮影操作に応じて前記連続撮影ができない禁止状態となるものであることを特徴とするカメラに存する。
【０００７】
請求項２記載の発明は、前記連続撮影手段が、撮影操作に応じて行われるストロボ発光を伴う連続撮影の回数が決定されている連続撮影モードに設定されたとき、露出量を変更しながら前記決定されている回数分の連続撮影を行うものであることを特徴とする請求項１に記載のカメラに存する。
【０００８】
請求項３記載の発明は、前記連続撮影手段が、前記撮影操作に応じて行われるストロボ発光を伴う連続撮影の回数が決定されていない連続撮影モードが設定されているときは、前記撮影操作が行われてから撮影終了操作が行われるまでの間、連続撮影を継続するカメラであって、前記連続撮影中の撮影回数をカウントするカウント手段を有し、前記連続撮影手段が、前記カウント手段でカウントした前記撮影回数が前記回数演算手段で演算された撮影回数を超えたとき前記連続撮影が禁止状態となるものであることを特徴とする請求項１又は２に記載のカメラに存する。
【０００９】
請求項４記載の発明は、前記発光量演算手段が、被写体の測光値に基づき絞り値を演算する絞り値演算手段を有し、前記絞り値と前記被写体の測距値に基づき前記決定されている回数の連続撮影に必要とするストロボの総発光量を演算するものであり、そして、前記絞り値演算手段が、前記撮影操作に応じて行われるストロボ発光を伴う連続撮影の回数が決定されている連続撮影モードが設定されているとき、前記総発光量及び前記ストロボの充電電圧に基づいて前記決定された回数の連続撮影が不可能であると判断すると前記被写体の測光値及び前記ストロボの充電電圧に基づき前記決定された回数の連続撮影に必要とするストロボの発光量が前記ストロボの充電電圧から求めたストロボのフル発光量を超えないように前記絞り値を演算し直すと共に、前記撮影操作に応じて行われるストロボ発光を伴う連続撮影の回数が決定されていない連続撮影モードが設定されているとき、前記絞り値の演算をし直さないものであることを特徴とする請求項１〜３何れか１項に記載のカメラに存する。
【００１０】
請求項５記載の発明は、レリーズスイッチの半押し動作により前記表示手段に表示する内容を更新することを特徴とする請求項１〜４何れか１項に記載のカメラに存する。
【００１８】
【発明の実施の形態】
以下、本発明の一実施の形態を、図面に基づいて説明する。図１は、本発明のカメラの一実施の形態を示すブロック図である。
同図において、カメラは、被写体輝度を計測する測光部１０と、カメラから被写体までの距離を計測する測距部２０とを備えている。上記測光部１０としては、光電変換素子を使用して自動的に測光するものや、露出計を利用して撮影者が手動で入力するものが考えられる。また、測距部２０は、パッシブ方式やアクティブ方式といった方式で自動的に測距するものや、距離計を利用して撮影者が手動で入力するものが考えられる。上記測光部１０及び測距部２０は、マイクロコンピュータ３０（以下、μＣＯＭ３０）と接続されており、このμＣＯＭ３０に対して、測光値、測距値をそれぞれ出力している。
【００１９】
上記μＣＯＭ３０は、カメラ全体の制御を行うためのものであり、プログラムに従って各種演算処理を行うＣＰＵ３１、ＣＰＵ３１が行うプログラムなどを格納した読出専用メモリであるＲＯＭ３２、ＣＰＵ３１での各種の処理過程で利用するワークエリア、各種データを格納するデータ格納エリアなどを有する読出書込自在のメモリであるＲＡＭ３３などを内蔵し、これらが図示しないバスラインによって相互接続されている。
【００２０】
上記μＣＯＭ３０には、フィルムに入射される光量を制限する絞り装置４０、フィルムに入射させる光を遮断するシャッタ装置５０、フィルムの残りや、撮影モードを表示したりする表示器６０及びフィルムの給送を行う給送装置７０が接続されている。
【００２１】
上記μＣＯＭ３０には、またＤＸ検出部８０、操作部９０及びストロボ装置１００（＝ストロボ）が接続されている。上記ＤＸ検出部８０は、図示しないフィルム情報検出部が、フィルムパトローネ上のＤＸコードから読み取ったＩＳＯ感度に応じてオンオフする複数のスイッチなどから構成される。従って、μＣＯＭ３０は、ＤＸ検出部８０を構成する複数のスイッチのオンオフ状態により、ＩＳＯ感度情報を得ることができる。このＤＸ検出部８０の代わりに、撮影者がＩＳＯ感度情報を入力するための入力装置を接続するようにしてもよい。
【００２２】
上記操作部９０は、レリーズボタンやモード変更ボタンなどの操作ボタンの操作に応じてオンオフする複数のスイッチなどから構成される。ストロボ装置１００は、メインコンデンサ、メインコンデンサに電荷を蓄積する充電回路及びメインコンデンサに蓄積された電荷を放出して発光させる発光回路を含み、μＣＯＭ３０により充電、発光が制御される。即ち、μＣＯＭ３０は、ストロボ装置１００内のＲＯＫ端子１０１からメインコンデンサの充電電圧を入力し、ＳＰＣ端子１０２に対して発光を指示する発光制御信号を出力する。
【００２３】
上述した構成のカメラの動作を、図２のＣＰＵ３１の処理手順を示すフローチャートを参照して以下説明する。
まず、ＣＰＵ３１は、操作部９０内のモード変更ボタンによりストロボ連続撮影モードが選択されているとき、ストロボ連続撮影モード処理を行う。ストロボ連続撮影モード処理において、ＣＰＵ３１は、操作部９０内のレリーズスイッチが半押し操作されたことを検出すると（ステップＳ１でＹ）、ストロボ装置１００内のメインコンデンサの充電電圧を検出する充電電圧検出処理を行う（ステップＳ２）。次に、ＣＰＵ３１は、上記充電電圧におけるストロボ装置１００のフル発光量Ｘf（ＧNo.）を求める（ステップＳ３）。
【００２４】
ところで、このストロボ装置１００のフル発光量Ｘfは、上記メインコンデンサの容量及び充電電圧から求められる充電量に応じた値である。そこで、メインコンデンサの容量は変わらないことに着目し、充電電圧とフル発光量Ｘfとの関係を示すテーブルを予めＲＡＭ３３に格納しておけば、ステップＳ２において、ＣＰＵ３１は、検出した充電電圧に対応するフル発光量Ｘfを上記テーブルから検索することにより、ストロボ装置１００のフル発光量Ｘfを求めることができる。
【００２５】
次に、ＣＰＵ３１は、測光部１０及び測距部２０を制御して、被写体輝度を計測させると共に、被写体までの距離を計測させる測光・測距処理を行う（ステップＳ４）。この測光・測距処理により、ＣＰＵ３１は、測光値及び測距値Ｌを得ることができる。
【００２６】
その後、ＣＰＵ３１は、絞り演算手段として働き、測光処理で得た測光値やＤＸ検出部８０が検出したフィルムのＩＳＯ感度に基づき、絞り値Ｆを演算し、絞り装置４０を制御して演算した絞り値Ｆにセットする絞り演算処理を行う（ステップＳ５）。次に、ＣＰＵ３１は、発光量演算手段として働き、ステップＳ５で求めた絞り値Ｆ及びステップＳ４で求めた測距値Ｌを下記に示す式（１）に代入して、ストロボ連続撮影における１回の撮影に必要とするストロボ装置１００の発光量を演算する発光量演算処理を行う（ステップＳ６）。
Ｆ×Ｌ    …（１）
【００２７】
さらに、ＣＰＵ３１は、回数演算手段として働き、ステップＳ３で求めたフル発光量Ｘf（充電量に応じた値である）及びステップＳ５で求めた１回の撮影に必要とするストロボ装置１００の発光量（Ｆ×Ｌ）を下記に示す式（２）に代入して、ストロボ連続撮影において、ストロボ装置１００を発光できる撮影回数（以下、撮影可能回数Ｎとする）を演算する回数演算処理を行う（ステップＳ７）。
Ｎ＝２＾（ｌｏｇ（Ｘ／Ｆ×Ｌ）／ｌｏｇ（√２））  …（２）
【００２８】
ここで、例えば、絞り値Ｆ：４、測距値Ｌ：２ｍ、フル発光量Ｘf：ＧNo.２０とすると、
１回の撮影に必要なストロボ装置１００の発光量は、
４×２＝８（式（１）参照）となり、
撮影可能回数Ｎは、
Ｎ＝２＾（ｌｏｇ（２０／８）／ｌｏｇ（√２））＝６．２３（式（２）参照）となり、連続６回の発光が可能であることがわかる。
【００２９】
ただし、発光時のロスと最低発光電圧（発光するために必要なメインコンデンサの最低充電電圧）の制約があるため、その分を加味すると、さらに回数は低下する。この低下分は、下記の式（１）′に示すように、１回の撮影に必要なストロボ装置１００の発光量に係数を掛けることにより補正できる。
Ｆ×Ｌ×α（αは係数）    …（１）′
【００３０】
次に、ＣＰＵ３１は、報知手段として働き、ステップＳ７で演算したストロボ装置１００を発光できる撮影回数を表示器６０に表示する回数表示処理を行う（ステップＳ８）。その後、ＣＰＵ３１は、レリーズボタンの半押し操作が解除されないまま（ステップＳ９でＮ）、全押し操作が行われると（ステップＳ１０でＹ）、連続撮影手段として働き、連続撮影処理を行う（ステップＳ１１）。
【００３１】
次に、上記連続撮影処理の詳細について、図３のＣＰＵ３１の処理手順を示すフローチャートを参照して以下説明する。
まず、ＣＰＵ３１は、ステップＳ６で演算した発光量でストロボ装置１００を発光させると共に、シャッタ装置５０を開閉させて被写体の撮影を行う撮影処理を行う（ステップＳ１１１）。その後、ＣＰＵ３１は、給送装置７０を制御して、フィルムを給送した後（ステップＳ１１２）、カウント手段として働き、ＲＡＭ３３に格納した実撮影回数ｎをインクリメントする（ステップＳ１１３）。
【００３２】
次に、ＣＰＵ３１は、実撮影回数ｎが上記ステップＳ７で演算した撮影可能回数Ｎに達したか否かを判断する（ステップＳ１１４）。ｎ＜Ｎであれば（ステップＳ１１４でＮ）、ストロボ装置１００を発光しての連続撮影がまだ行えると判断して、次のステップＳ１１５に進む。ステップＳ１１５において、ＣＰＵ３１はレリーズボタンの全押し操作が解除されているか否か判断し、解除されていなければ（ステップＳ１１５でＮ）、再びステップＳ１１１に進んで撮影処理を行う。
【００３３】
これに対して、ｎ≧Ｎであれば（ステップＳ１１４でＹ）、ストロボ装置１００を発光しての連続撮影がもう行えないと判断し、その旨を伝える警報を発生する警報発生処理を行った後（ステップＳ１１６）、撮影停止手段として働き、連続撮影処理を終了する。また、全押し操作が解除されている場合は（ステップＳ１１５でＹ）、ただちに連続撮影処理を終了する。
【００３４】
上述したように連続撮影処理を行う前に、撮影可能回数Ｎを表示することにより、撮影者が、ストロボ装置１００が十分に充電されるまで待ったり、撮影可能回数Ｎ以上の連続撮影を行わないように操作したりするなどして、ストロボ装置１００を発光しての連続撮影の途中に、ストロボ発光なしでの撮影が行われたり、途中でストロボ発光量が不足して、シャッタスピードが遅くなるということを防止するための対策をとることができる。
【００３５】
また、撮影可能回数Ｎの表示を行うだけでなく、ステップＳ１１３でカウントした実撮影回数ｎが、撮影可能回数Ｎを越えたとき、強制的に連続撮影を停止することにより、ストロボ装置１００を発光しての連続撮影の途中に、ストロボ発光なしでの撮影が行われることを確実に防止することができる。
【００３６】
なお、上述した第１実施形態では、レリーズボタンの全押し操作（＝撮影操作）が行われてから、全押し解除操作（＝撮影終了操作）が行われるまでの間、連続撮影を継続するものであった。しかし、連続撮影における撮影回数を設定できるカメラにも適用できる。このカメラの場合、設定回数がステップＳ７で演算した撮影可能回数Ｎを越えた場合に、ＣＰＵ３１は、警報発生手段として働き、その旨を連続撮影処理を行う前に表示器６０に表示したり、レリーズボタンを全押し操作しても連続撮影処理を行えないようにすれば、ストロボ装置１００を発光しての連続撮影の途中に、ストロボ発光なしでの撮影が行われることを防止することができる。
【００３７】
次に、操作部９０内のモード変更ボタンによりオートブラケット（以下ＡＢ）連続撮影モードが選択されているときの動作について、図４のＣＰＵ３１の処理手順を示すフローチャートを参照して以下説明する。ＡＢ連続撮影モードとは、露出を変化させて設定回数分の連続撮影をするモードであり、露出段差と設定回数は予め定められているものと、任意に設定できるものとがある。
【００３８】
まず、ＣＰＵ３１は、上述した図２のストロボ連続撮影モードでの処理と同様に、ステップＳ１〜ステップＳ５までの処理を行う。次に、ＣＰＵ３１は、上記設定回数のＡＢ連続撮影で必要とするストロボ装置１００の総発光量Ｘtを演算する発光量演算処理を行う（ステップＳ１２）。この発光量演算処理の詳細について、設定回数３回、露出段差±０．５ＥＶに設定した場合を例に以下説明する。
【００３９】
また、ステップＳ２〜Ｓ５の動作により、絞り値Ｆ：４、測距値Ｌ：２ｍ、フル発光量Ｘf：ＧNo.２０が求められているとする。ストロボ光のみで露出段差を出すとき、各露出段差の撮影に必要なストロボ装置１００の発光量は次のようになる。露出段差±０のときはＧNo.８、露出段差＋０．５ＥＶのときがＧNo.６．７、露出段差−０．５ＥＶのときがＧNo.９．５。従って、総発光量ＸtはＧNo.１４．０と演算することができる。
【００４０】
次に、ＣＰＵ３１は、判断手段として働き、求めた総発光量Ｘtがフル発光量Ｘfを越えているか否かを判断する（ステップＳ１３）。Ｘt≦Ｘfであれば（ステップＳ１３でＮ）、ＣＰＵ３１は、ストロボ発光して３回のＡＢ連続撮影を行うことができると判断し、レリーズボタンの半押し操作が解除されないまま（ステップＳ１４でＮ）、全押し操作が行われると（ステップＳ１５でＹ）、ＡＢ連続撮影処理を行う（ステップＳ１６）。ＡＢ連続撮影処理において、ＣＰＵ３１は、各々ストロボ装置１００の発光量をＧNo.８→６．７→９．５と変えながら、３回の連続撮影を行うことにより、露出段差±０．５ＥＶの３枚の写真を得ることができる。
【００４１】
これに対して、Ｘt＞Ｘfであれば（ステップＳ１３でＹ）、ストロボ発光して３回のＡＢ連続撮影が行えないと判断し、レリーズボタンの全押し操作が行われても、ＡＢ連続撮影処理を行わず、直ちにＡＢ連続撮影モード処理を終了する。
【００４２】
以上のように、ストロボ発光しての設定回数の連続撮影が可能でないとき、ＡＢ連続撮影処理を行わないことにより、ストロボを発光しての連続撮影の途中に、ストロボ発光なしでの撮影が行われることを防止することができる。
【００４３】
なお、上述したＡＢ連続撮影モードでは、Ｘt＞Ｘfのとき、ＡＢ連続撮影処理を行わないようにしていた。しかしながら、例えば、Ｘt＞Ｘfのとき、被写体の測光値だけでなく、ストロボ装置１００のフル発光量Ｘfに基づき、絞り値Ｆを演算し直すことも考えられる。このとき、絞り値Ｆを、設定回数の連続撮影に必要とするストロボの総発光量Ｘtが、フル発光量Ｘfを越えないように演算し直せば、連続撮影処理を実行することも考えられる。
【００４４】
この場合、例えば、絞り値Ｆ：４、測距値Ｌ：４ｍでは３回の連続撮影で必要とする総発光量はＧNo.２８．２となり（＞フル発光量Ｘf＝ＧNo.２０）、連続撮影処理が実行できなくなる。そこで、上記絞り値Ｆを演算し直して、例えばＦ：２にすれば総発光量Ｘt＝ＧNo.１４となり（＜フル発光量Ｘf＝ＧNo.２０）、連続撮影を実行することができる。
【００４５】
演算し直した絞り値Ｆを表示して、撮影者に手動設定させたり、自動的に演算し直した絞り値Ｆに設定したりすれば、限られた充電量の範囲内で設定回数での連続撮影を行うことができる。しかも、連続撮影前に、演算し直した絞り値に設定することにより、連続撮影途中でストロボの発光量が不足して、途中でシャッタスピードを長くするといった失敗を防止することができる。
【００４６】
なお、露出補正する場合は、補正量をシフト計算することにより、上述した連続撮影において、１回の撮影に必要とするストロボ装置１００の発光量や、設定回数の連続撮影に必要とするストロボの総発光量を正確に求めることができる。
【００４７】
また、上述した実施形態では、ＡＢ連続撮影において、設定回数の連続撮影に必要とするストロボの総発光量及びフル発光量に基づき、ストロボを発光しての設定回数の連続撮影が可能であるか否かを判断し、その旨を報知していた。しかしながら、撮影回数が設定されている連続撮影にも適用して、報知することができる。
【００４８】
以上説明したように、請求項１及び２記載の発明によれば、ストロボ発光できる撮影回数を演算することにより、演算した撮影回数を用いて、撮影者やカメラ自身が、ストロボを発光しての連続撮影の途中に、ストロボ発光なしでの撮影が行われたり、途中でストロボ発光量が不足して、シャッタスピードが遅くなるということを防止するための対策をとることができるので、ストロボを発光させての連続撮影に生じる不具合を防止したカメラを得ることができる。
【００５０】
請求項３記載の発明によれば、カウント手段がカウントした撮影回数が、ストロボを発光できる撮影回数を越えたとき、連続撮影を禁止状態とすることにより、ストロボを発光しての連続撮影の途中に、ストロボ発光なしでの撮影が行われたり、途中でストロボ発光量が不足して、シャッタスピードが遅くなるということがないので、ストロボを発光させての連続撮影に生じる不具合を防止したカメラを得ることができる。
【００５３】
請求項４記載の発明によれば、演算し直した絞り値を表示して、撮影者に手動設定させたり、自動的に演算し直した絞り値に設定したりすれば、限られた充電量の範囲内で設定回数での連続撮影を行うことができる。しかも、連続撮影前に、演算し直した絞り値に設定することにより、連続撮影途中でストロボの発光量が不足して、途中でシャッタスピードを長くするといった失敗を防止することができるので、ストロボを発光させての連続撮影に生じる不具合を防止したカメラを得ることができる。
【図面の簡単な説明】
【図１】本発明のカメラの一実施の形態を示すブロック図である。
【図２】図１のカメラを構成するＣＰＵ３１のストロボ連続撮影モード処理における処理手順を示すフローチャートである。
【図３】図１のカメラを構成するＣＰＵ３１の連続撮影処理における処理手順を示すフローチャートである。
【図４】図１のカメラを構成するＣＰＵ３１のＡＢ連続撮影モード処理における処理手順を示すフローチャートである。
【符号の説明】
１００  ストロボ装置（ストロボ）
３１    ＣＰＵ（連続撮影手段、発光量演算手段、回数演算手段、報知手段、カウント手段、撮影停止手段、警報発生手段、判断手段、絞り演算手段）
【図１】
0004001760.tif 000002
【図２】
0004001760.tif 000003
【図３】
0004001760.tif 000004
【図４】
0004001760.tif 000005